(57)【要約】      （修正有）【課題】コードレスブラインドアセンブリの提供。【解決手段】下向きに下梁が引き動かされるとき、昇降コード体５０が固定シート３０の通し繞設溝３１に設けられたコードガイドスライド柱３１０及び移動スライドシート４０の通し繞設溝４１に設けられたコードガイドスライド柱４１０を駆動し、並びにリールコントローラーの回転シートに設けられた２０バネを引き動かし、ブラインド本体を展開状態となす。上向きに下梁が押動されるとき、リールコントローラーのバネ２０が弾性回復力によりもとの外力を受けない状態に回復し、それと同時にそれに固定結合された移動スライドシート４０を引き動かして、昇降コード体５０にブラインド本体を連動させて畳んだ状態を現出させる。【選択図】図１
2014152601.tif 000002
【特許請求の範囲】
【請求項１】
コードレスブラインドアセンブリにおいて、
バネであって、第１端及び第２端が設けられ、該第２端は上梁の一側の固定柱に固定される、上記バネと、
固定シートであって、通し繞設溝が設けられ、該固定シートの通し繞設溝内に少なくとも二つのコードガイドスライド柱と、少なくとも一つの固定柱及び複数の支持柱が設けられた、上記固定シートと、
移動スライドシートであって、通し繞設溝が設けられ、該移動スライドシートの通し繞設溝の内側に少なくとも二つのコードガイドスライド柱が設けられ、該移動スライドシートの周囲に複数のスライドガイドロールが設けられ、且つ該移動スライドシート内に複数の固定柱が設けられ、該バネの第１端は該移動スライドシートの固定柱に固定される、上記移動スライドシートと、
昇降コード体であって、該昇降コード体は該固定シートの通し繞設溝に設けられたコードガイドスライド柱及び該移動スライドシートの通し繞設溝に設けられたコードガイドスライド柱に繞設される、上記昇降コード体と、
を包含することを特徴とする、コードレスブラインドアセンブリ。
【請求項２】
コードレスブラインドアセンブリにおいて、
ブラインドセットであって、上梁と下梁が設けられ、上梁と下梁の間にブラインド本体が設けられ、且つ上梁内にレール収容滑り溝が設けられ、該レール収容滑り溝の底面に、複数の通しコントロールガイド孔が設けられた、上記ブラインドセットと、
バネであって、第１端及び第２端が設けられ、該第２端は上梁の一側の固定柱に固定される、上記バネと、
固定シートであって、通し繞設溝が設けられ、該固定シートの通し繞設溝内に少なくとも二つのコードガイドスライド柱と、少なくとも一つの固定柱及び複数の支持柱が設けられ、該固定シートは該ブラインドセットの上梁に設けられた該レール収容滑り溝の別の一側に固定される、上記固定シートと、
移動スライドシートであって、通し繞設溝が設けられ、該移動スライドシートの通し繞設溝の内側に少なくとも二つのコードガイドスライド柱が設けられ、該移動スライドシートの周囲に複数のスライドガイドロールが設けられ、且つ該移動スライドシート内に複数の固定柱が設けられ、該移動スライドシートは該ブラインドセットの上梁に設けられたレール収容滑り溝内にスライド自在に設けられ、且つ該スライドガイドロールは上梁のレール収容滑り溝内でスライド移動し係止され、該バネの第１端は該移動スライドシートの固定柱に固定される、上記移動スライドシートと、
昇降コード体であって、該昇降コード体は該固定シートの通し繞設溝に設けられたコードガイドスライド柱及び該移動スライドシートの通し繞設溝に設けられたコードガイドスライド柱に繞設され、且つ該昇降コード体の２端はブラインドセットの上梁に設けられた通しコントロールガイド孔に通され、並びに該ブラインド本体を通り下梁に固定される、上記昇降コード体と、
を包含することを特徴とする、コードレスブラインドアセンブリ。
【請求項３】
請求項２記載のコードレスブラインドアセンブリにおいて、該ブラインド本体はベネチアンブラインドとされることを特徴とする、コードレスブラインドアセンブリ。
【請求項４】
請求項２記載のコードレスブラインドアセンブリにおいて、該ブラインド本体はハニカムブラインドとされることを特徴とする、コードレスブラインドアセンブリ。
【請求項５】
請求項２記載のコードレスブラインドアセンブリにおいて、該ブラインド本体はプリーツブラインドとされることを特徴とする、コードレスブラインドアセンブリ。
【発明の詳細な説明】
【技術分野】
【０００１】
本発明は一種のコードレスブラインドアセンブリに係り、特に一種のブラインド構造の技術領域に応用されるものに関する。
【背景技術】
【０００２】
現在周知のブラインド構造は、ブラインド本体、伝動装置、及びコードで構成されている。該伝動装置は、ブラインド本体の上側に設けられると共に、コードに接続され、ブラインド本体はさらに、伝動装置を介してコードに連結されている。使用者がコードを引き動かしてコントロールすることにより、ブラインド本体に伝動装置及びコードに対して作動させることで、ブラインドに遮蔽或いは開放状態を現出させる。ただし、それには以下のような問題が存在している。
【０００３】
１．構造の複雑度が高い：
そのコードは伝動装置に接続され、ブラインド本体はさらに伝動装置を介してコードに連結されるため、使用者がブラインド本体に遮蔽或いは開放状態を現出させたいときには、コードを引き動かしてコントロールしなければならず、もし、使用者がコードを引き動かす力が強すぎるか、或いは釈放速度が速すぎると、ブラインド本体が確実に使用者が望む適当な位置に位置決めされず、往復してコードを引き動かしてブラインド本体を適当な位置まで展開或いは畳まねばならず、ゆえにその構造複雑度は高い。
【０００４】
２．生産コストが高い：
そのコードは伝動装置に接続され、ブラインド本体はさらに伝動装置を介してコードに連結され、使用者がブラインド本体を遮蔽或いは開放状態としたいときには、コードを引き動かしてコントロールしなければならず、このようにコードのコントロールを介するために余分にコードのアセンブリを設置する必要があり、ゆえにその生産コストは高くなる。
【発明の概要】
【発明が解決しようとする課題】
【０００５】
本発明の主要な目的は、一種のコードレスブラインドアセンブリを提供することにある。それは、ブラインドセット、バネ、固定シート、移動スライドシート及び昇降コード体で構成される。該固定シートは該ブラインドセットの上梁に設けられたレール収容滑り溝の一側に固定される。移動スライドシートはブラインドセットの上梁に設けられたレール収容滑り溝内にスライド自在に設けられ、且つ移動スライドシートにスライドガイドロールが設けられて、スライド移動して上梁のレール収容滑り溝内に係止される。バネは第１端が移動スライドシートに設けられた固定柱に固定され、第２端が固定シートに背向するように設置された上梁の別の一側の固定柱に設置される。昇降コード体は固定シートの通し繞設溝に設けられたコードガイドスライド柱及び移動スライドシートの通し繞設溝に設けられたコードガイドスライド柱に繞設され、且つ昇降コード体の二端はブラインドセットの上梁に設けられた通しコントロールガイド孔に通され、並びにブラインド本体に通されて下梁に固定される。
【０００６】
下梁が下向きに引っ張られる或いは上向きに押動されると、昇降コード体が固定シートの通し繞設溝に設けられたコードガイドスライド柱及び移動スライドシートの通し繞設溝に設けられたコードガイドスライド柱を駆動し、並びにバネを引っ張り、ブラインドに展開状態を現出させ、上向きに下梁が押動されると、バネは弾性回復力により、もとの外力による施力を受けない状態に回復し、同時にそれに固定された移動スライドシートを引き動かし、昇降コード体にブラインド本体を駆動させてブラインド本体に畳んだ状態を現出させる。
【０００７】
本発明は昇降制御の便利性をアップし、並びに危険因子の発生を減らし、且つ有効に構造を簡易化し、生産コストを減らし、使用の便利性と使用の安全性を良好とする効果を達成するものとする。
【課題を解決するための手段】
【０００８】
上述の目的を達成するため、本発明の一種のコードレスブラインドアセンブリは、
バネであって、第１端及び第２端が設けられ、該第２端は上梁の一側の固定柱に固定される、上記バネと、
固定シートであって、通し繞設溝が設けられ、該固定シートの通し繞設溝内に少なくとも二つのコードガイドスライド柱と、少なくとも一つの固定柱及び複数の支持柱が設けられた、上記固定シートと、
移動スライドシートであって、通し繞設溝が設けられ、該移動スライドシートの通し繞設溝の内側に少なくとも二つのコードガイドスライド柱が設けられ、該移動スライドシートの周囲に複数のスライドガイドロールが設けられ、且つ該移動スライドシート内に複数の固定柱が設けられ、該バネの第１端は該移動スライドシートの固定柱に固定される、上記移動スライドシートと、
昇降コード体であって、該昇降コード体は該固定シートの通し繞設溝に設けられたコードガイドスライド柱及び該移動スライドシートの通し繞設溝に設けられたコードガイドスライド柱に繞設される、上記昇降コード体と、
を包含する。
【０００９】
上述の目的を達成するため、本発明の一種のコードレスブラインドアセンブリは、
ブラインドセットであって、上梁と下梁が設けられ、上梁と下梁の間にブラインド本体が設けられ、且つ上梁内にレール収容滑り溝が設けられ、該レール収容滑り溝の底面に、複数の通しコントロールガイド孔が設けられた、上記ブラインドセットと、
バネであって、第１端及び第２端が設けられ、該第２端は上梁の一側の固定柱に固定される、上記バネと、
固定シートであって、通し繞設溝が設けられ、該固定シートの通し繞設溝内に少なくとも二つのコードガイドスライド柱と、少なくとも一つの固定柱及び複数の支持柱が設けられ、該固定シートは該ブラインドセットの上梁に設けられた該レール収容滑り溝の別の一側に固定される、上記固定シートと、
移動スライドシートであって、通し繞設溝が設けられ、該移動スライドシートの通し繞設溝の内側に少なくとも二つのコードガイドスライド柱が設けられ、該移動スライドシートの周囲に複数のスライドガイドロールが設けられ、且つ該移動スライドシート内に複数の固定柱が設けられ、該移動スライドシートは該ブラインドセットの上梁に設けられたレール収容滑り溝内にスライド自在に設けられ、且つ該スライドガイドロールは上梁のレール収容滑り溝内でスライド移動し係止され、該バネの第１端は該移動スライドシートの固定柱に固定される、上記移動スライドシートと、
昇降コード体であって、該昇降コード体は該固定シートの通し繞設溝に設けられたコードガイドスライド柱及び該移動スライドシートの通し繞設溝に設けられたコードガイドスライド柱に繞設され、且つ該昇降コード体の２端はブラインドセットの上梁に設けられた通しコントロールガイド孔に通され、並びに該ブラインド本体を通り下梁に固定される、上記昇降コード体と、
を包含する。
【００１０】
該ブラインド本体はベネチアンブラインドとされる。
【００１１】
該ブラインド本体はハニカムブラインドとされる。
【００１２】
該ブラインド本体はプリーツブラインドとされる。
【発明の効果】
【００１３】
本発明の優れたところは以下のとおりである。
１．構造の複雑度を減らせる：
下梁を下向きに引っ張ることで、昇降コード体に、固定シートの通し繞設溝に設けられたコードガイドスライド柱及び移動スライドシートの通し繞設溝に設けられたコードガイドスライド柱を駆動させ、並びにバネを引き動かして、ブラインド本体に展開或いは畳んだ状態を現出させ、バネは弾性回復によりもとの外力を受けない状態に回復させられ、同時にそれに固定された移動スライドシートを引き動かし、昇降コード体にブラインド本体を駆動させて楽にブラインド本体に畳んだ状態を現出させることができ、昇降制御の便利性をアップし、且つ有効に構造を簡易化し、ゆえにその構造複雑度を減らせる。
２．生産コストをダウンできる：
下梁を下向きに引っ張ることで、昇降コード体に固定シートの通し繞設溝に設けられたコードガイドスライド柱及び移動スライドシートの通し繞設溝に設けられたコードガイドスライド柱を駆動させ、並びにバネを引き動かして、ブラインド本体に展開或いは畳んだ状態を現出させられ、バネを弾性回復によりもとの外力を受けない状態に回復させられ、同時にそれに固定された移動スライドシートを引き動かし、昇降コード体にブラインド本体を駆動させて楽にブラインド本体に畳んだ状態を現出させることができ、昇降制御の便利性をアップし、且つ有効に構造を簡易化し、ゆえにその生産コストを減らせる。
【図面の簡単な説明】
【００１４】
【図１】本発明のコードレスブラインドアセンブリの立体局部分解状態図である。
【図２】本発明のコードレスブラインドアセンブリの第１の平面局部断面状態図である。
【図３】本発明のブラインド本体折り畳み状態の側面断面図である。
【図４】本発明のコードレスブラインドアセンブリの第２の平面局部断面状態図である。
【図５】本発明のブラインド本体展開状態の側面断面図である。
【発明を実施するための形態】
【００１５】
以下に本発明の技術内容、構造特徴、達成する目的及び作用効果について、以下に例を挙げ並びに図面を組み合わせて詳細に説明する。ただし、図示される実施例は説明のために用いられ、特許請求範囲を制限するものではない。
【００１６】
図１から図３を参照されたい。それは本発明のコードレスブラインドアセンブリの立体局部分解状態図、第１の平面局部断面状態図及び第２の局部断面状態図である。
【００１７】
それは、ブラインドセット（１０）であって、該ブラインドセット（１０）に上梁（１１）と下梁（１２）が設けられ、上梁（１１）と下梁（１２）の間にブラインド本体（１３）が設けられ、且つ上梁（１１）内にレール収容滑り溝（１１０）が設けられ、該レール収容滑り溝（１１０）の底面に、複数の通しコントロールガイド孔（１１１）が設けられ、該ブラインド本体（１３）はベネチアンブラインド、ハニカムブラインド或いはプリーツブラインドとされる、上記ブラインドセット（１０）と、
バネ（２０）であって、第１端（２１）及び第２端（２２）が設けられ、該第２端（２２）は上梁（１１）の一側の固定柱（４４）に固定される、上記バネ（２０）と、
固定シート（３０）であって、通し繞設溝（３１）が設けられ、該固定シート（３０）の通し繞設溝（３１）内に少なくとも二つのコードガイドスライド柱（３１０）と、複数の支持柱（３１２）が設けられ、該固定シート（３０）は該ブラインドセット（１０）の上梁（１１）に設けられた該レール収容滑り溝（１１０）の別の一側に固定される、上記固定シート（３０）と、
移動スライドシート（４０）であって、通し繞設溝が設けられ、該移動スライドシート（４０）の通し繞設溝（４１）の内側に少なくとも二つのコードガイドスライド柱（４１０）が設けられ、該移動スライドシート（４０）の周囲に複数のスライドガイドロール（４２）が設けられ、且つ該移動スライドシート（４０）内に複数の固定柱（４３）が設けられ、該移動スライドシート（４０）は該ブラインドセット（１０）の上梁（１１）に設けられたレール収容滑り溝（１１０）内にスライド自在に設けられ、且つ該スライドガイドロール（４２）は上梁（１１）のレール収容滑り溝（１１０）内でスライド移動し係止され、該固定柱（４３）は該バネ（２０）の第１端（２１）の固定に供される、上記移動スライドシート（４０）と、
昇降コード体（５０）であって、該昇降コード体（５０）は該固定シート（３０）の通し繞設溝（３１）に設けられたコードガイドスライド柱（３１０）及び該移動スライドシート（４０）の通し繞設溝（４１）に設けられたコードガイドスライド柱（４１０）に繞設され、且つ該昇降コード体（５０）の２端はブラインドセット（１０）の上梁（１１）に設けられた通しコントロールガイド孔（１１１）に通され、並びに該ブラインド本体（１３）を通り下梁（１２）に固定される、上記昇降コード体（５０）と、
を包含する。
以上の構造の組み合わせにより、本発明のコードレスブラインドアセンブリが完成する。
【００１８】
図１から図５を参照されたい。それは本発明のコードレスブラインドアセンブリの立体局部分解状態図、第１、第２平面局部断面状態図、及び側面断面ブラインド本体の折り畳み、展開状態表示図である。
【００１９】
そのバネ（２０）及び固定シート（３０）はブラインドセット（１０）の上梁（１１）に設けられたレール収容滑り溝（１１０）の二側に固定され、移動スライドシート（４０）はブラインドセット（１０）の上梁（１１）に設けられたレール収容滑り溝（１１０）内に設けられ、且つ移動スライドシート（４０）に設けられたスライドガイドロール（４２）は上梁（１１）のレール収容滑り溝（１１０）内にスライド自在に移動して係止され、バネ（２０）の第１端（２１）は移動スライドシート（４０）に設けられた固定柱（４３）に固定され、第２端（２２）は固定シート（３０）に背向するように上梁（１１）の別の一側に設置された固定柱（４４）に固定され、且つ昇降コード体（５０）は固定シート（３０）の通し繞設溝（３１）に設けられたコードガイドスライド柱（３１０）及び移動スライドシート（４０）の通し繞設溝（４１）に設けられたコードガイドスライド柱（４１０）に繞設され、且つ昇降コード体（５０）の２端は、ブラインドセット（１０）の上梁（１１）に設けられた通しコントロールガイド孔（１１１）に通され、並びにブラインド本体（１３）を通り下梁（１２）に固定される。
【００２０】
下梁（１２）が下向きに引っ張られることで、昇降コード体（５０）は固定シート（３０）の通し繞設溝（３１）に設けられたコードガイドスライド柱（３１０）及び移動スライドシート（４０）の通し繞設溝（４１）に設けられたコードガイドスライド柱（４１０）を駆動し、並びにバネ（２０）を引き動かして、ブラインド本体（１３）に展開状態を現出させる。
【００２１】
上向きに下梁（１２）が押動されるとき、バネ（２０）は弾性回復力によりもとの外力を受けない状態に回復し、同時にそれに固定された移動スライドシート（４０）を引き動かし、昇降コード体（５０）にブラインド本体（１３）を駆動させてブラインド本体（１３）に畳んだ状態を現出させる。
【００２２】
こうして、昇降制御の便利性をアップし、危険な因子の発生を減らせ、且つ有効に構造を簡易化し並びに生産コストを減らし、構造複雑度の低減と生産コストダウンの効果を達成する。
【符号の説明】
【００２３】
１０      ブラインドセット
１１      上梁
１２      下梁
１３      ブラインド本体
１１０    レール収容滑り溝
１１１    通しコントロールガイド孔
２０      バネ
２１      第１端
２２      第２端
３０      固定シート
３１      通し繞設溝
３１０    コードガイドスライド柱
３１２    支持柱
４０      移動スライドシート
４１      通し繞設溝
４１０    コードガイドスライド柱
４２      スライドガイドロール
４３      固定柱
４４      固定柱
５０      昇降コード体
【図１】
2014152601.tif 000003
【図２】
2014152601.tif 000004
【図３】
2014152601.tif 000005
【図４】
2014152601.tif 000006
【図５】
2014152601.tif 000007